(57)【特許請求の範囲】
【請求項１】
フィルム状印刷体の移動方向に沿って予熱及び本加熱用のホットプレートを順次配設し、これらホットプレートにフィルム状印刷体を直接接触せしめて加熱する一方、該ホットプレートの上方にフィルム状印刷体を挟むようにして、熱によるフィルム状印刷体の反りを抑制するための反り抑制体を配設してなるフィルム状印刷体の一貫印刷実装装置におけるリフロー装置において、適宜のタイミングでホットプレートの全てを同時に降下させてフィルム状印刷体から離す一方、反り抑制体を上昇せしめ、これと同時に、本加熱用のホットプレートの位置におけるフィルム状印刷体とホットプレートとの間に熱遮断用のシャッターを挿入するようになしたリフロー装置であって、基枠に水平に固定した支持板における各ホットプレートの位置に夫々支承筒を設け、各ホットプレートの支持台の下面に垂設したガイドポストを夫々該支承筒に摺動自在に嵌合して該ホットプレートを昇降自在とし、更に各ホットプレートの支持台の下面に垂設した作動操作軸を前記支持板に設けた支承筒に夫々摺動自在に嵌合すると共に、該作動操作軸の下端面を、基枠に固定された軸受体をもって回転自在に支承した回転軸に取り付けたカム板に摺接せしめ、更に該回転軸をプーリとベルトを介して基枠に固定した駆動モータに連結し、もってホットプレートを降下せしめるべくなしたことを特徴とするフィルム状印刷体の一貫印刷実装装置におけるリフロー装置。
【請求項２】
熱遮断用のシャッターを挿入すると共に該シャッターに冷風を吹きつけるようになした請求項１記載のフィルム状印刷体の一貫印刷実装装置におけるリフロー装置。
【発明の詳細な説明】
【０００１】
【発明の属する技術分野】
本発明はフィルム状印刷体への印刷と部品の実装を一貫工程にて行うフィルム状印刷体の一貫印刷実装装置におけるリフロー装置に関するものである。
【０００２】
【従来の技術】
従来におけるリフロー装置は、フィルム状印刷体の移動方向に沿って予熱及び本加熱用のホットプレートを順次配設し、これらホットプレートにフィルム状印刷体を直接接触せしめて加熱する一方、該ホットプレートの上方にフィルム状印刷体を挟むようにして、熱によるフィルム状印刷体の反りを抑制するための反り抑制体を配設してなる構成である。
【０００３】
【発明が解決しようとする課題】
しかし、斯かる従来のリフロー装置には次の如き問題点がある。それは、例えば印刷や部品実装工程において何らかのトラブルが発生したりしてフィルム状印刷体の移動が停止し、通常の時間よりも長い時間フィルム状印刷体がホットプレート、特に最も加熱温度の高い本加熱用のホットプレートに接触している場合において、フィルム状印刷体それ自体や、印刷等に対して様々な悪影響を及ぼすことがある点である。
【０００４】
本発明は上記の点に鑑みなされたものであって、トラブルの発生等によってフィルム状印刷体の移動が通常の時間よりも長い時間停止したときには、フィルム状印刷体から全てのホットプレートを離す一方、反り抑制体を上昇せしめ、そしてこれと同時にこれらフィルム状印刷体と本加熱用のホットプレートとの間に熱遮断用のシャッターを挿入し、或いは場合によっては更にこのシャッターに冷風を吹き付け、もって上記問題点の発生を未然に防ぐことができるようになしたリフロー装置を提供せんとするものである。
【０００５】
【課題を解決するための手段】
而して、本発明の要旨は、フィルム状印刷体の移動方向に沿って予熱及び本加熱用のホットプレートを順次配設し、これらホットプレートにフィルム状印刷体を直接接触せしめて加熱する一方、該ホットプレートの上方にフィルム状印刷体を挟むようにして、熱によるフィルム状印刷体の反りを抑制するための反り抑制体を配設してなるフィルム状印刷体の一貫印刷実装装置におけるリフロー装置において、適宜のタイミングでホットプレートの全てを同時に降下させてフィルム状印刷体から離す一方、反り抑制体を上昇せしめ、これと同時に、本加熱用のホットプレートの位置におけるフィルム状印刷体とホットプレートとの間に熱遮断用のシャッターを挿入するようになしたリフロー装置であって、基枠に水平に固定した支持板における各ホットプレートの位置に夫々支承筒を設け、各ホットプレートの支持台の下面に垂設したガイドポストを夫々該支承筒に摺動自在に嵌合して該ホットプレートを昇降自在とし、更に各ホットプレートの支持台の下面に垂設した作動操作軸を前記支持板に設けた支承筒に夫々摺動自在に嵌合すると共に、該作動操作軸の下端面を、基枠に固定された軸受体をもって回転自在に支承した回転軸に取り付けたカム板に摺接せしめ、更に該回転軸をプーリとベルトを介して基枠に固定した駆動モータに連結し、もってホットプレートを降下せしめるべくなしたことを特徴とするフィルム状印刷体の一貫印刷実装装置におけるリフロー装置にある。
【０００６】
また、上記構成において、熱遮断用のシャッターを挿入したときに、該シャッターに冷風を吹きつけるようにしてもよい。この場合にはシャッターの温度上昇を防ぎ、且つまたフィルム状印刷体の周囲の温度の上昇を防ぎ、もってフィルム状印刷体の熱による反りを防ぐ上で一層効果的である。
【０００７】
【発明の実施の形態】
以下、本発明の実施の形態について図面を参照しつつ説明する。
図１は一部省略して示した正面図、図２は右側面図、図３は反り抑制体の部分拡大斜視図、図４は熱遮断用のシャッターの挿入状態における部分拡大図である。
【０００８】
図中、１は基枠である。２はフィルム状印刷体である。３、４、５、６、７、８は前記フィルム状印刷体を直接接触せしめて加熱するホットプレートであり、そのうち３、４、５が予熱用、６及び７が本加熱用である。そしてこれらのホットプレート３、４、５、６、７、８は前記フィルム状印刷体２の移動方向に沿って予熱、本加熱の順に並んで配設されている。
【０００９】
また、該ホットプレート３、４、５、６、７、８は、同時に降下させることができるように構成されており、本実施形態では、前記基枠１に水平に固定した支持板９における各ホットプレートの位置に夫々支承筒１０、１０を設け、各ホットプレート３、４、５、６、７、８の支持台１１、１２、１３、１４、１５、１６の下面に垂設したガイドポスト１７、１７を夫々該支承筒１０、１０に摺動自在に嵌合して該ホットプレート３、４、５、６、７、８を昇降自在とし、更に各ホットプレートの支持台１１、１２、１３、１４、１５、１６の下面に垂設した作動操作軸１８を前記支持板９に設けた支承筒１９に夫々摺動自在に嵌合すると共に、該作動操作軸１８の下端面を、前記基枠１に固定された軸受体２０、２０をもって回転自在に支承した回転軸２１に取り付けたカム板２２、２２に摺接せしめ、更に該回転軸２１をプーリ２３、２４とベルト２５を介して基枠１に固定した駆動モータ２６に連結して構成している。
【００１０】
２７は前記ホットプレート３、４、５、６、７、８の上方にフィルム状印刷体２を挟むようにして配設した、熱によるフィルム状印刷体２の反りを抑制するための反り抑制体である。また、該反り抑制体２７は、図３に示す如く、フィルム状印刷体２の上面に接触する平板状の部材２７ａと、該平板状の部材２７ａを平行して多数取り付ける保持体２７ｂとからなるものである。
【００１１】
また、該反り抑制体２７は上昇させることができるよう構成されており、本実施形態では、保持体２７ｂに垂直にガイドポスト２８、２８を立設し、該ガイドポスト２８、２８を支持板２９に設けた支承筒３０、３０に摺動自在に嵌合すると共に、該ガイドポスト２８、２８の前記支持板２９と保持体２７との間に拡圧コイルばね３１、３１を設け、更に前記支持板２９を前記基枠１に垂直に取り付けたシリンダ３２の作動杆（図示せず。）に連結杆３３を介して接続して構成している。尚、ガイドポスト２８、２８は所定のストロークの範囲内で摺動するようになされている。
【００１２】
３４はホットプレートの熱が上昇してフィルム状印刷体に当たらないようするための熱遮断用のシャッターである。また、該熱遮断用のシャッター３４は、ホットプレート３、４、５、６、７、８が降下する一方、反り抑制体２７が上昇したときに、本加熱用のホットプレート６、７の位置におけるフィルム状印刷体２とホットプレート６、７との間に挿入するものである。そして、本実施形態では、ホットプレートによる加熱時にあってはホットプレート６、７の裏側に退避し、そして必要時には前進して該ホットプレート６、７とフィルム状印刷体２との間に入り込むようになされている。尚、該熱遮断用のシャッター３４の駆動はシリンダーその他公知の適宜の手段を用いて行えばよい。
【００１３】
また、該熱遮断用のシャッター３４を挿入したときには、該シャッター３４に冷風３５を吹きつけるようにしてもよい。尚、該冷風の吹きつけは、公知の適宜の手段を用いて行えばよい。
【００１４】
次に、本実施形態の作用について説明する。
図１及び図２に示す状態において、例えば印刷や部品実装工程において何らかのトラブルが発生したりしてフィルム状印刷体２の移動が停止し、この停止が通常の時間よりも長くなったときには、ホットプレート３、４、５、６、７、８の全てを同時に降下させてフィルム状印刷体２から離す一方、反り抑制体２７を上昇せしめ、そしてこれと同時に熱遮断用のシャッター３４を本加熱用のホットプレート６、７とフィルム状印刷体２との間に挿入するものである。
【００１５】
また、ホットプレート３、４、５、６、７、８の降下は、次の如くして行われる。即ち、駆動モータ２６が作動するとプーリ２３、２４及びベルト２５を介して回転軸２１が回転する。これに伴いカム板２２が回転し、そしてこれに摺接している作動操作軸１８が該カム板２２の山の低い部分に至ったときに回転を停止する。これによりホットプレート３、４、５、６、７、８は同時に降下するものである。
【００１６】
また一方、反り抑制体２７の上昇は、次の如くして行われる。即ち、シリンダ３２が作動すると連結杆３３を介して支持板２９が上昇し、これに伴い反り抑制体２７が上昇するものである。
【００１７】
【発明の効果】
本発明は上記の如き構成、作用であり、トラブルの発生等によってフィルム状印刷体の移動が通常の時間よりも長い時間停止したときには、フィルム状印刷体から全てのホットプレートを降下させて離す一方、反り抑制体を上昇せしめ、そしてこれと同時にこれらフィルム状印刷体と本加熱用のホットプレートとの間に熱遮断用のシャッターを挿入するものである。これによりフィルム状印刷体に対して最も加熱温度の高い本加熱用のホットプレートから上昇する熱を遮断することができるものである。そしてまた、熱遮断用のシャッターを挿入したときに、該シャッターに冷風を吹きつけるようにした場合には、シャッターの温度上昇を防ぎ、且つまたフィルム状印刷体の周囲の温度の上昇を防ぎ、もってフィルム状印刷体の熱による反りを防ぐ上で一層効果的である。
【図面の簡単な説明】
【図１】  本発明の一部省略して示した正面図である。
【図２】  本発明の右側面図である。
【図３】  本発明における反り抑制体の部分拡大斜視図である。
【図４】  遮断用シャッターの挿入状態における部分拡大図である。
【符号の説明】
１  基枠
２  フィルム状印刷体
３、４、５、６、７、８  ホットプレート
９  支持板
１０、１０  支承筒
１１、１２、１３、１４、１５、１６  ホットプレートの支持台
１７、１７  ガイドポスト
１８  作動操作軸
１９  支承筒
２０、２０  軸受体
２１  回転軸
２２  カム板
２３、２４  プーリ
２５  ベルト
２６  駆動モータ
２７  反り抑制体
２８、２８  ガイドポスト
２９  支持板
３０、３０  支承筒
３１、３１  拡圧コイルばね
３２  シリンダ
３３  連結杆
３４  熱遮断用のシャッター
３５  冷風
【図１】
0003940574.tif 000002
【図２】
0003940574.tif 000003
【図３】
0003940574.tif 000004
【図４】
0003940574.tif 000005